【事件の表示】
　特願２００７−２１９２７７「データ処理システムから離れたところにあるＰＣＩＥｘｐｒｅｓｓ機能カードの機能を実行するためのシステムおよび方法」拒絶査定不服審判事件〔平成２０年　３月２１日出願公開、特開２００８−　６５８１８、請求項の数（８）〕について、次のとおり審決する。
【結　論】
　原査定を取り消す。
　本願の発明は、特許すべきものとする。
【理　由】
第１　手続の経緯
　本願は、平成１９年８月２７日（パリ条約による優先権主張　２００６年９月７日、米国）の出願であって、平成２４年４月６日付けで拒絶理由が通知され、平成２４年７月２日付けで手続補正がなされたが、平成２４年１０月３０日付けで拒絶査定がなされ、これに対し、平成２５年３月４日に拒絶査定不服審判が請求されたものである。
　
第２　本願発明
　本願の請求項１乃至８に係る発明は、平成２４年７月２日付けの手続補正で補正された特許請求の範囲の請求項１乃至８に記載された事項により特定される、以下のものである。
「【請求項１】
　データ処理システムから離れたところにあるＰＣＩ　Ｅｘｐｒｅｓｓ（以下、ＰＣＩ−Ｅ）機能カードの機能を実行するためのデータ処理システムであって、
　前記ＰＣＩ−Ｅ機能カードが直接接続されるようにされた専用接続ソケットが設置されている、回路基板と、
　前記回路基板と比較した場合、離れたところに位置していて、前記回路基板から見た場合、アーキテクチャとしての機能的に前記回路基板上に位置しているように見えて動作するＰＣＩ−Ｅ機能カードと、
　各々がＰＣＩ−Ｅ機能カードに前記ＰＣＩ−Ｅ機能カードの複数のレーンのうちの１本を通じて接続され、複数のレーンの各々はシリアル信号チャネルである、複数の入出力デバイスと、
を備える、データ処理システム。
　　【請求項２】
　前記データ処理システムがＰＯＳシステム・ユニットである、請求項１に記載のデータ処理システム。
　　【請求項３】
　さらに、
　各々が前記複数の入出力デバイスのうちの異なるものに位置付けられている、複数のＰＣＩ−Ｅコネクタと、
　前記複数のＰＣＩ−Ｅコネクタの各々が、前記複数のＰＣＩ−Ｅ機能カードの複数のレーンのうちの異なるものへと接続されている、バスと、
を備える、請求項２に記載のデータ処理システム。
　　【請求項４】
　前記ＰＣＩ−Ｅコネクタが、非シールド・ツイスト・ペア・ケーブルを備える、請求項３に記載のデータ処理システム。
　　【請求項５】
　前記ＰＣＩ−Ｅコネクタが無線接続を備える、請求項３に記載のデータ処理システム。
　　【請求項６】
　前記ＰＣＩ−Ｅコネクタが光ファイバ・ケーブルを備える、請求項３に記載のデータ処
　　【請求項７】
　前記回路基板がマザーボードである、請求項１に記載のデータ処理システム。
　　【請求項８】
　回路基板を含むデータ処理システムから離れたところにあるＰＣＩ−Ｅ機能カードの機能を実行するための、コンピュータで実施される方法であって、
　各々がＰＣＩ−Ｅ機能カードに前記ＰＣＩ−Ｅ機能カードの複数のレーンのうちの１本を通じて接続されており、複数のレーンの各々はシリアル信号チャネルである、複数の入出力デバイスの１つによって、入力を受け取るステップと、
　前記回路基板と比較した場合、離れたところに位置していて、前記回路基板から見た場合、アーキテクチャとしての機能的に前記回路基板上に位置しているように見えて動作するものであって、前記ＰＣＩ−Ｅ機能カードが直接接続されるようにされた専用接続ソケットが設置されているＰＣＩ−Ｅ機能カードについて、ＰＣＩ−Ｅ機能カードに接続されている複数の入出力デバイスのうちの１つからの入力を転送するステップと、
　前記ＰＣＴ−Ｅ機能カードからの入力を、前記ＰＣＩ−Ｅ機能カードに直接接続されるようにされた専用接続ソケットに転送するステップと、
を含む、方法。」
　
第３　原査定の理由の概要
　本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　記
　
刊行物１：米国特許出願公開第２００５／０１９０５３６号明細書
刊行物２：米国特許出願公開第２００６／０１６０４１４号明細書
刊行物３：米国特許出願公開第２００３／０１３５４１８号明細書
刊行物４：国際公開第２００６／０６９１９０号
刊行物５：特開２００５−３３２３９６号公報
刊行物６：特開２００４−３８９５５号公報
刊行物７：特開２００２−２５１４３５号公報
刊行物８：特開２００３−１６７６４７号公報
刊行物９：特開２００６−２３８２７０号公報
刊行物１０：特開２００６−１０７０９２号公報
　
　なお、平成２４年４月６日付けの拒絶理由通知では、刊行物７として「米国特許出願公開第２００２／０１１６２１８号明細書（特開２００２−２５１４３５号公報）」と記載されているが、原査定の拒絶の理由として引用された刊行物７が、括弧書きの中に記載された「特開２００２−２５１４３５号公報」であることは明らかであるので、以下、刊行物７は「特開２００２−２５１４３５号公報」とする。
　
第４　当審の判断
１．刊行物の記載事項
（刊行物１）
　刊行物１（米国特許出願公開第２００５／０１９０５３６号明細書）には、図面とともに、次の技術事項が記載されている。
（ア）「[0006] While external expansion capabilities have been available on the PCs for years, they have been plagued by low bandwidth, making them impractical for high data rate devices, such as hard disk drives or graphics adapters. Recent developments have increased bandwidth for external expansion busses making external expansion for most devices on the PC platform possible, however, external expansion capabilities have also attributed to some level of complexity. For example, every external device that is added to the system is individually connected to the PC (or daisy-chained together if IEEE1394) resulting in unwanted desktop clutter and many cables. 
[0007] Thus, there is a need for a system and method making expansion of PCs easier and that enables OEMs to deliver an entry-level PC that is upgradeable, while maintaining stability, delivering low acoustics, a compelling industrial design, and that increases consumption of PCs by cost-sensitive buyers. The present invention provides such a solution.」（第１頁左欄第５１行〜第１頁右欄第１０行）（当審訳：[0006]　外部拡張能力は、多年にわたってＰＣで利用可能でしたが、それらは、低いバンド幅によって悩ませられ、ハードディスク装置あるいはグラフィックス・アダプタのような高いデータレート装置に対しては、実用的ではありませんでした。最近の開発は、外部拡張バスのバンド幅を増やし、そのＰＣプラットホーム上の大部分の装置に対しての外部拡張を可能にしましたが、しかしながら、外部拡張能力は、ある程度の複雑さに帰することにもなりました。例えば、システムに付加されるすべての外部装置は、個々にＰＣに接続され（あるいは、もしIEEE1394であるなら、デイジーチェーン方式で接続され）、望まれないデスクトップの取り散らかしと多くのケーブルとをもたらします。 
[0007]　それで、ＰＣの拡張をより容易にするシステムと方法の要求があり、それは、安定性を維持し、低い音響効果、１つの強制的な工業デザインを配布するとしても、ＯＥＭが、初心者レベルの、アップ・グレード可能なＰＣを出荷することができ、そして、価格に敏感なバイヤーによるＰＣの消費量を増やします。本発明はこのような解決を提供します。）
　
（イ）「[0043] Referring now to  FIG. 2  there is illustrated a first embodiment of the present invention. The base PC unit  200  may be a sealed-box as described earlier allowing the expansion unit  216  to be the point of differentiation for the OEM. While both USB and IEEE1394 may be used to connect the expansion unit  216  to the base PC unit  200  to satisfy most of the needs described above, it is preferable to utilize PCI Express as a connection between the base PC unit  200  and the expansion unit  216 . The PCI Express specification is described in PCI Express Base 1.0a Specification, published by PCI-SIG, Portland, Oreg., and are incorporated herein by reference in its entirety. 
[0044] As shown in  FIG. 2 , the base PC unit  200  includes a power supply  202  sized for the power demands of the base unit  200 , a DVD-ROM (removable media) drive  204 , and a processor  205 . A chipset  206  controls the central functions of the base PC unit  200 , including: a cache for instructions, a controller for handling memory, bus interface logic, and data path functions. The chipset  206  preferably incorporates PCI Express. A limited number of PCI Express expansion slots are provided, such as a video slot  208 , and a slot  210  for a bridge card  212 . The bridge card  212  provides a connection for a PCI Express cable  214  that connects to the expansion unit  216 . The PCI Express cable  214  may include x2 to x16 lanes. 
[0045] The expansion unit  216  includes its own power supply  218  and ExpressCard slots  220 . ExpressCard is proposed by PCMCIA and is expected to replace CardBus as the preferred solution for I/O technology add-ons to desktops and mobile computers. The ExpressCard slots  220  allow for the addition of wireless cards, and digital media (i.e., flash, removable hard drives, etc.). PCI Express Server I/O Slots  222  provide for additional expansion via cartridges. Cartridges such as an AC  97  5.1, a 5.1 amplifier, hard drives, and microprocessor and USB connections may be added via the PCI Express Server I/O Slots  222 . The expansion unit may also include a DVD±RW drive  224 , and PCI Express expansion slots  226  connected to a PCI Express backplane  230  to accommodate, e.g., a TV tuner, graphics card, or other PCI cards  228 . Optionally, conventional PCI slots may be provided.」（第４頁左欄第４〜４４行）（当審訳：[0043] 　図２を参照すると、本発明の第１実施例が例証されています。ベースＰＣ２００は、以前述べたとおり、ＯＥＭに対し、拡張ユニット２１６が区分化された箇所となることを可能にする、密閉された箱であるかもしれません。USB と IEEE1394 の両方が、上記の要求の大部分を満たすために、拡張ユニット２１６をベースＰＣユニット２００に接続するために使われるかもしれませんが、ベースＰＣユニット２００と拡張ユニット２１６の間の接続としてPCIエクスプレスを利用することは望ましいことです。PCI エクスプレスの仕様は、オレゴン州ポートランドのPCI - SIG によって発表された、PCIエクスプレス基本仕様1.0aに記述されており、その全部が参照としてここに含まれます。 
[0044]　図２に示されるように、ベースＰＣユニット２００は、ベースユニット２００の電力要求に応ずるサイズの電力供給２０２、DVD-ROM （リムーバブル・メディア）ドライブ２０４、及びプロセッサ２０５を含みます。 チップセット２０６は、インストラクションのためのキャッシュ、メモリを取り扱うためのコントローラ、バス・インタフェース・ロジック、そしてデータパス機能を含む、ベースＰＣユニット２００の中央機能を制御します。チップセット２０６には、好ましくは、PCIエクスプレスを組み込みます。ビデオ・スロット２０８、そしてブリッジカード２１２のためにスロット２１０のような、限定された数のPCIエクスプレス拡張スロットが提供されます。ブリッジカード２１２は、拡張ユニット２１６と接続するPCIエクスプレス・ケーブル２１４のための接続を提供します。PCI エクスプレス・ケーブル２１４は、x2 から x16 のレーンを含むかもしれません。 
[0045]　拡張ユニット２１６は、それ自身の電力供給２１８と、ExpressCardスロット２２０を含みます。ExpressCardはPCMCIAによって提案されて、そしてデスクトップとモバイルコンピュータに対し、I/O 技術アドオンのために望ましいソリューションとして、CardBusを置き換えることが予想されています。ExpressCardスロット２２０は、無線カードと、デジタルメディア（すなわち、フラッシュ・リムーバル・ハードドライブなど）の付加を可能にします。PCIエクスプレス・サーバI/O スロット２２２は、カートリッジを経由して、追加の拡張を提供します。AC　97　5.1、5.1のアンプ、ハード・ドライブ、そしてマイクロプロセッサ及びＵＳＢ接続のようなカートリッジが、PCIエクスプレス・サーバI/Oスロット２２２を経由して追加されるかも知れません。拡張ユニットは、DVD±RWドライブ２２４と、例えばテレビチューナ、グラフィックス・カード、又は他のPCIカード２２８を収容するためにPCIエクスプレス・バックプレーン２３０に接続されたPCIエクスプレス拡張スロット２２６とを含むかも知れません。オプションとして、従来の PCIのスロットが提供されるかもしれません。）
　
　上記記載事項及び図面より、刊行物１には、次の発明（以下、「引用発明１」という。）が記載されているものと認められる。
「ＰＣの拡張をより容易にするシステムであって、ベースＰＣ２００は密閉された箱であり、ベースＰＣユニット２００と拡張ユニット２１６の間の接続としてPCIエクスプレスを利用し、
　ベースＰＣユニット２００は、ベースユニット２００の電力要求に応ずるサイズの電力供給２０２、DVD-ROM （リムーバブル・メディア）ドライブ２０４、及びプロセッサ２０５を含み、チップセット２０６は、インストラクションのためのキャッシュ、メモリを取り扱うためのコントローラ、バス・インタフェース・ロジック、そしてデータパス機能を含む、ベースＰＣユニット２００の中央機能を制御し、
　チップセット２０６にはPCIエクスプレスを組み込み、
　ビデオ・スロット２０８、そしてブリッジカード２１２のためのスロット２１０のような、限定された数のPCIエクスプレス拡張スロットが提供され、
　ブリッジカード２１２は、拡張ユニット２１６と接続するPCIエクスプレス・ケーブル２１４のための接続を提供し、PCI エクスプレス・ケーブル２１４は、x2 から x16 のレーンを含み、
　拡張ユニット２１６のPCIエクスプレス・サーバI/Oスロット２２２は、カートリッジを経由して、追加の拡張を提供し、AC　97　5.1、5.1のアンプ、ハード・ドライブ、そしてマイクロプロセッサ及びＵＳＢ接続のようなカートリッジが、PCIエクスプレス・サーバI/Oスロット２２２を経由して追加され、
　拡張ユニット２１６は、例えばテレビチューナ、グラフィックス・カード、又は他のPCIカード２２８を収容するためにPCIエクスプレス・バックプレーン２３０に接続されたPCIエクスプレス拡張スロット２２６を含む、
　システム。」
　
（刊行物２）
　刊行物２（米国特許出願公開第２００６／０１６０４１４号明細書）には、次の技術事項が記載されている。
（ウ）「[0021] Referring to  FIG. 2 , which is a topside view illustrating a motherboard according to the preferred embodiment of the present invention. The motherboard  200  of the embodiment includes a PCI Express x16 slot  210 , a chipset  220 , a PCI Express slot  230  and a supporter  240 . The PCI Express x16 slot  210  is used for accepting a first interface card, such as graphics card or display card of PCI Express interface.」（第２頁左欄第５３〜６０行）（当審訳：[0021]　図２を参照すると、それは本発明の望ましい実施例に従ったマザーボードを上部から見た瞰図です。実施例のマザーボード２００は、 PCI エクスプレス x16 のスロット２１０、チップセット２２０、 PCI エクスプレスのスロット２３０、及びサポータ２４０を含みます。PCI エクスプレス x16 のスロット２１０は、 PCI エクスプレス・インタフェースのグラフィックス・カードあるいはディスプレイカードのような、第１のインタフェースカードを受け入れるために使われます。）
　
（刊行物３）
　刊行物３（米国特許出願公開第２００３／０１３５４１８号明細書）には、次の技術事項が記載されている。
（エ）「[0023] Referring now to  FIG. 1 , an exemplary point-of-sale (POS) system  100 , in accordance with some embodiments of the present invention, comprises a POS host terminal or register  105 , which may be a legacy POS terminal or POS cash register, and a plurality of peripheral devices  110 ,  115 ,  120 ,  125 ,  130 , which are connected to the POS host terminal. ・・・（中略）・・・It should be understood that, as used herein, #peripheral device# means any processing device that is connected to a POS host terminal or register via a communication medium and/or interface. ・・・（中略）・・・The communication medium and/or communication interface may be, for example, but is not limited to, a wireless medium, a wireline medium, a networked interface, such as a local and/or wide area network, a direct interface, such as a serial/parallel port interface and/or a PCMCIA interface, and a bus interface, such as a universal serial bus (USB) connection and/or peripheral component interconnect (PCI). （第２頁右欄第１９〜４４行）（当審訳：[0023]　今、図１を参照すると、典型的な売り場（ＰＯＳ）システム１００は、本発明の若干の実施例に従って、旧式なＰＯＳ端末あるいはＰＯＳキャッシュ・レジスターからなるＰＯＳホスト端末と、該ＰＯＳホスト端末に接続された多数の周辺装置１１０、１１５、１２０、１２５、１３０から構成されています。・・・（中略）・・・ ここに使われるように、「周辺装置」とは、通信媒体及び／又はインタフェースによってＰＯＳホスト端末あるいはレジスタに接続しているどんな処理装置でも意味することが理解されるべきです。・・・（中略）・・・ 通信媒体及び／又は通信インタフェースは、例えば、無線媒体、地上通信線媒体、ローカル及び／又は広域ネットワークのようなネットワーク・インタフェース、シリアル／パラレルポート・インタフェース及び／又は PCMCIAインタフェースのような直接インタフェース、そしてユニバーサルシリアルバス（ＵＳＢ）接続及び／又は周辺機器コンポーネント・インタフェヘース（PCI）のような、バス・インタフェースかも知れませんが、これらに限定されません。）
　
（刊行物４）
　刊行物４（国際公開第２００６／０６９１９０号）には、次の技術事項が記載されている。
（オ）「In Figure 2, the interconnection between modules in the expansion slots 26a,b and the blades 22a,b is shown schematically in accordance with a first configuration. Each blade 22a,b is coupled to the midplane 30 via connectors 32a,b. The expansion slots 26a,b are also shown coupled to the midplane 30 via connectors 34a,b. The blades 22a,b can thus communicate with modules installed in the expansion slots 26a,b across the midplane 30. In this configuration, two I/O modules 36a and 36b are shown installed within the expansion slots 26a and 26b respectively and thus communicate with the blades 22a,b separately via the midplane 30. 
 In accordance with a preferred embodiment, the blades 22a,b and I/O modules 36a,b communicate via PCI Express buses - though it will be understood that PCI Express is only one example of many different types of busses that could be employed. (PCI Express is described in the PCI-SIG document PCI Express Base Specification 1.0a and accompanying documentation.) Each blade 22a,b includes a PCI Express switch 38a,b that drives a PCI Express bus 40a,b to and from blade CPU and I/O resources. The switches 38a,b split each PCI Express bus 40a,b into two PCI Express buses. One PCI Express bus 42a,b is coupled to the corresponding expansion slot 26a,b. The other PCI Express bus 44 is coupled to the other blade and is not used in this configuration - thus it is shown dotted. The I/O modules 36a,b are PCI Express cards, including PCI Express controllers 46a,b coupled to the respective bus 42a,b. Each I/O module 36a,b includes I/O logic 48a,b coupled to the PCI Express controller 46a,b for interfacing between the PCI Express bus 42a,b and various interfaces 50a,b such as one or more Fibre Channel ports, one or more Ethernet ports, etc. depending on design requirements. Furthermore, by employing a standard bus interface such as PCI Express, off-the-shelf PCI Express cards may be employed as needed to provide I/O functionality with fast time to market.」（第３頁第２４行〜第４頁第１９行）（パテントファミリーである、特表２００８−５２４７２５号公報の第【０００９】〜【００１０】段落に基づく翻訳： 図２において、拡張スロット２６ａ，ｂ及びブレード２２ａ，ｂにおけるモジュール間の相互接続が第一構成に従って概略的に示される。各ブレード２２ａ，ｂはコネクタ２３ａ，ｂを介して中間板３０に接続される。拡張スロット２６ａ，ｂもコネクタ３４ａ，ｂを介して中間板３０に結合される。従って、ブレード２２ａ，ｂは拡張スロット２６ａ，ｂに配置されるモジュールと、中間板を介して通信する。この構成において、二つのＩ／Ｏモジュール３６ａ及び３６ｂは拡張スロット２６ａ及び２６ｂに各々設置されることが示され、従って中間板３０を介して個別にブレード２２ａ，ｂと各々通信する。
　好適な実施形態に従って、ブレード２２ａ，ｂ及びＩ／Ｏモジュール３６ａ，ｂは、ＰＣＩエクスプレスを介して通信可能であるが、ＰＣＩエクスプレスは採用され得る数多くの異なるタイプのバスの一例に過ぎないことは理解されるであろう。（ＰＣＩエクスプレスは「ＰＣＩエクスプレス基本詳細１．０ａ」及び添付文書に記載されている。）各ブレード２２ａ，ｂは、ＰＣＩエクスプレス・バス４０ａ，ｂとＣＰＵ及びＩ／Ｏリソースとを双方向に接続するＰＣＩエクスプレス・スイッチ３８ａ，ｂを含む。スイッチ３８ａ，ｂは各ＰＣＩエクスプレス・バス４０ａ，ｂを二つのＰＣＩエクスプレス・バスに分離する。あるＰＣＩエクスプレス・バス４２ａ，ｂは対応する拡張スロット２６ａ，ｂに結合される。他のＰＣＩエクスプレス・バス４４は別のブレードに結合され、この構成では利用されないので、点線で示される。Ｉ／Ｏモジュール３６ａ，ｂはＰＣＩエクスプレス・カードであり、各バス４２ａ，ｂに結合されるＰＣＩエクスプレス・コントローラ４６ａ，ｂを含む。各Ｉ／Ｏモジュール３６ａ，ｂはＰＣＩエクスプレス・コントローラ４６ａ，ｂに結合されるＩ／Ｏ論理４８ａ，ｂを含み、ＰＣＩエクスプレス・バス４２ａ，ｂと、必要とされる設計に依存して一つ以上のファイバー・チャンネル・ポート、一つ以上のイーサーネット・ポート等のような様々なインターフェイス５０ａ，ｂとの間のインターフェイスとなる。更に、ＰＣＩエクスプレスのような標準的なバス・インターフェイスを採用することにより、既成のＰＣＩエクスプレス・カードが必要に応じて採用されて、短い製品化までの時間でＩ／Ｏ機能を提供する。）
　
　また、刊行物４の図３には、expansion slots 26a,b（拡張スロット２６ａ，ｂ）を利用するための別構成が示され、a single shared resource 60 （一つの共有リソース６０）がexpansion slots 26a,b（拡張スロット２６ａ，ｂ）の両者に挿入され、且つblades 22a,b（ブレード２２ａ，ｂ）により共有されることが示されている。
　
（刊行物５）
　刊行物５（特開２００５−３３２３９６号公報）には、次の技術事項が記載されている。
（カ）「【００１１】
  図１を参照すると、ＰＣＩエキスプレスアドバンスドスイッチングプロトコル中に周辺機器情報をカプセル化して経路設定するために複数の処理サブシステム12および中央化された周辺機器通信装置14を有する情報処理システムがブロック図で示されている。例えば、情報処理システム10はネットワーク情報を処理する複数の処理サブシステムブレード12を有するブレードサーバである。処理サブシステム12はプロセッサ16とノースブリッジ18とを含み、そのノースブリッジ18はＰＣＩエキスプレスのようなベースプロトコルを使用して周辺機器に通信するための情報を発生し、メモリおよびファームウエアのような情報の処理を助ける他のコンポーネントを含んでいる。情報処理システム10の周辺機器は、ＰＣＩエキスプレス適合バックプレーンバス26により直接通信するＰＣＩエキスプレスＡＳ装置20と、バックプレーンバス26により通信するためのＰＣＩエキスプレスＡＳプロトコルにおいてＰＣＩエキスプレス情報をカプセル化するための関連するアドバンスドスイッチングブリッジ24を有するＰＣＩエキスプレス装置22とを有している。周辺機器情報は選択された処理サブシステム12とバックプレーンバス26上の選択された装置20または22との間で経路設定され、アドレス情報はＰＣＩエキスプレスアドバンスドスイッチングは結合ヘッダ中に含まれている。」（第６頁第２３〜３８行）
　
（刊行物６）
　刊行物６（特開２００４−３８９５５号公報）には、次の技術事項が記載されている。
（キ）「【００１５】
ベースボード１０２は、１つ以上のネットワーク１２０及びサービス１２２に接続可能である。ネットワーク１２０には例えば、ＶＭＥバス、周辺装置相互接続（ＰＣＩ及びＰＣＩ−Ｘ）、ラピッドＩＯ（商標）、シリアルラピッドＩＯ（商標）、ＰＣＩエクスプレス（商標）、インフィニバンド（商標）、ハイパートランスポート（商標）、ファイバーチャンネル（商標）、イーサネット（商標）ネットワーク等が含まれ得るが、これらに限定されない。サービス１２２は、サービスをそのとき使用している、又は使用することが期待される１つ以上のエンティティに有用ないくつかの機能をカプセル化したものであってもよい。サービスは、情報へのアクセスを提供するか、或いはある計算を実行可能である。サービス１２２はさらに、人間であるユーザが所望する機能性を提供する。」（第４頁第１３〜２２行）
　
（ク）「【００１８】
コンピュータシステム１００はさらに、ベースボード１０２と接続されるようにデザインされている１つ以上の拡張カード１０４を含み得る。本発明の一実施形態において拡張カード１０４は、当業者に公知の交換ファブリックネットワーク規格１０６を少なくとも使用するベースボード１０２と接続される。例えば、交換ファブリックネットワーク規格１０６には少なくとも、シリアルラピッドＩＯ（商標）、ＰＣＩエクスプレス（商標）、インフィニバンド（商標）、ハイパートランスポート（商標）、ファイバーチャンネル（商標）、イーサネット（商標）のネットワーク規格が含まれ得る。イーサネットには例えば、１０Ｇｂｐｓイーサネット、１００Ｇｂｐｓイーサネット、１０Ｇｂｐｓアタッチメントユニットインターフェース（ＸＡＵＩ）等のバリエーションをこれらに限定されることなく含み得る。」（第４頁第３８〜４８行）
　
（刊行物７）
　刊行物７（特開２００２−２５１４３５号公報）（第【００５４】段落、図７）には、携帯型電子端末（携帯電話６０）とＰＯＳ端末１との通信にＢｌｕｅＴｏｏｔｈ等の無線通信を用いることが記載されている。
　
（刊行物８）
　刊行物８（特開２００３−１６７６４７号公報）（第【００３０】段落）には、無線ＬＡＮカード１０のコネクタをＰＣＩスロット５０に受容結合されることが記載されている。
　
（刊行物９）
　刊行物９（特開２００６−２３８２７０号公報）（第【００２８】、【００２９】段落）には、コンピュータ１０のＰＣＩコネクタに接続するインターフェースを備えた無線ＬＡＮデバイスが記載されている。
　
（刊行物１０）
　刊行物１０（特開２００６−１０７０９２号公報）（第【００６１】段落）には、ＰＣＩバスに無線通信用デバイスとしての無線式ＬＡＮ（Ｗ−ＬＡＮ）を接続することが記載されている。
　
２．対比・判断
（本願の請求項１に係る発明について）
　そこで、本願の請求項１に係る発明と引用発明１とを比較する（なお、下線は、対比を明確にするために当審にて付与したものである。）。
　引用発明１における「ベースＰＣユニット２００」は、「ベースユニット２００の電力要求に応ずるサイズの電力供給２０２、DVD-ROM （リムーバブル・メディア）ドライブ２０４、及びプロセッサ２０５を含み、チップセット２０６は、インストラクションのためのキャッシュ、メモリを取り扱うためのコントローラ、バス・インタフェース・ロジック、そしてデータパス機能を含む、ベースＰＣユニット２００の中央機能を制御」しているから、本願の請求項１に係る発明の「データ処理システム」に相当する。
　次に、引用発明１における「拡張ユニット２１６」は、「AC　97　5.1、5.1のアンプ、ハード・ドライブ、そしてマイクロプロセッサ及びＵＳＢ接続のようなカートリッジが、PCIエクスプレス・サーバI/Oスロット２２２を経由して追加され」、また、「例えばテレビチューナ、グラフィックス・カード、又は他のPCIカード２２８を収容するためにPCIエクスプレス・バックプレーン２３０に接続されたPCIエクスプレス拡張スロット２２６を含」んでいる。
　そして、引用発明１の「拡張ユニット２１６」は、「x2 から x16 のレーンを含」む「PCI エクスプレス・ケーブル２１４」によって、「密閉された箱」である「ベースＰＣ２００」と接続されているから、引用発明１における「拡張ユニット２１６」と、本願の「データ処理システムから離れたところにあるＰＣＩ　Ｅｘｐｒｅｓｓ（以下、ＰＣＩ−Ｅ）機能カード」とは、「データ処理システムから離れたところにあるＰＣＩ　Ｅｘｐｒｅｓｓ（以下、ＰＣＩ−Ｅ）機能部」の点で共通する。
　次に、引用発明１の「拡張ユニット２１６」により、「ベースＰＣユニット２００」に「追加の拡張を提供」することと、本願の請求項１に係る発明の「ＰＣＩ　Ｅｘｐｒｅｓｓ（以下、ＰＣＩ−Ｅ）機能カードの機能を実行する」こととは、「ＰＣＩ　Ｅｘｐｒｅｓｓ（以下、ＰＣＩ−Ｅ）機能部の機能を実行する」点で共通する。
　次に、引用発明１では「チップセット２０６にはPCIエクスプレスを組み込み、ビデオ・スロット２０８、そしてブリッジカード２１２のためにスロット２１０のような、限定された数のPCIエクスプレス拡張スロットが提供され」ているから、引用発明１における「限定された数のPCIエクスプレス拡張スロット」のうち、「拡張ユニット２１６と接続するPCIエクスプレス・ケーブル２１４のための接続を提供」する「ブリッジカード２１２のためのスロット２１０」と、本願の請求項１に係る発明の「
前記
用の
　次に、引用発明１の「ベースＰＣユニット２００」おいて、「ビデオ・スロット２０８、そしてブリッジカード２１２のためにスロット２１０のような、限定された数のPCIエクスプレス拡張スロット」が回路基板に設置されていることは、技術的に明らかである。
　次に、引用発明１の「拡張ユニット２１６」は、「PCIエクスプレス・ケーブル２１４」により、「密閉された箱」の「ベースＰＣユニット２００」と接続されているが、その「PCIエクスプレス・ケーブル２１４」は、具体的には、「ベースＰＣユニット２００」の「限定された数のPCIエクスプレス拡張スロット」の一つである「スロット２１０」に「ブリッジカード２１２」を経由して接続されている。
　そして、上記のとおり、「PCIエクスプレス拡張スロット」が回路基板に設置されていることは、技術的に明らかであるから、このような引用発明１の「拡張ユニット２１６」と、本願の請求項１に係る発明の「
前記
用の
　次に、引用発明１において、「PCI エクスプレス・ケーブル２１４は、x2 から x16 のレーンを含み」、「拡張ユニット２１６のPCIエクスプレス・サーバI/Oスロット２２２は、カートリッジを経由して、追加の拡張を提供し、AC　97　5.1、5.1のアンプ、ハード・ドライブ、そしてマイクロプロセッサ及びＵＳＢ接続のようなカートリッジが、PCIエクスプレス・サーバI/Oスロット２２２を経由して追加され、拡張ユニット２１６は、例えばテレビチューナ、グラフィックス・カード、又は他のPCIカード２２８を収容するためにPCIエクスプレス・バックプレーン２３０に接続されたPCIエクスプレス拡張スロット２２６を含」んでいる。
　そして、「PCIエクスプレス」の各レーンがシリアル信号チャネルであることは、刊行物１の摘記事項（イ）で引用されている「オレゴン州ポートランドのPCI - SIG によって発表された、PCIエクスプレス基本仕様1.0a」より明らかであるから、引用発明１の「PCIエクスプレス・サーバI/Oスロット２２２」又は「PCIエクスプレス・バックプレーン２３０に接続されたPCIエクスプレス拡張スロット２２６」に接続される、「ＰＣの拡張」のための「I/O」機器と、本願の請求項１に係る発明の「各々がＰＣＩ−Ｅ機能カードに前記ＰＣＩ−Ｅ機能カードの複数のレーンのうちの１本を通じて接続され、複数のレーンの各々はシリアル信号チャネルである、複数の入出力デバイス」とは、「各々がＰＣＩ−Ｅ機能部に前記ＰＣＩ−Ｅ機能部のレーンを通じて接続され、レーンの各々はシリアル信号チャネルである、複数の入出力デバイス」の点で共通する。
　
　すると、本願の請求項１に係る発明と、引用発明１とは、次の点で一致する。
（一致点）
　データ処理システムから離れたところにあるＰＣＩ　Ｅｘｐｒｅｓｓ（以下、ＰＣＩ−Ｅ）機能部の機能を実行するためのデータ処理システムであって、
　データ処理システムから離れたところにあるＰＣＩ　Ｅｘｐｒｅｓｓ（以下、ＰＣＩ−Ｅ）機能部が接続される、ＰＣＩ−Ｅ機能カード
用の
　前記回路基板と比較した場合、離れたところに位置しているＰＣＩ−Ｅ機能部と、
　各々がＰＣＩ−Ｅ機能部に前記ＰＣＩ−Ｅ機能部のレーンを通じて接続され、レーンの各々はシリアル信号チャネルである、複数の入出力デバイスと、
を備える、データ処理システム。
　
　また、両者は次の点で相違する。
＜相違点１＞
　本願の請求項１に係る発明では、「データ処理システム」の「回路基板」に「設置」された「専用接続ソケット」に、「前記回路基板と比較した場合、離れたところに位置していて」、「データ処理システムから離れたところにあるＰＣＩ　Ｅｘｐｒｅｓｓ（以下、ＰＣＩ−Ｅ）機能カード」が「直接接続されるようにされ」ているのに対し、引用発明１では、「PCIエクスプレス拡張スロット」の一つである「スロット２１０」が、「ベースＰＣユニット２００」の回路基板に設置されていることは技術的に明らかであって、該「スロット２１０」に、「密閉された箱」である「ベースＰＣ２００」と接続されている（言い換えると、「ベースＰＣユニット２００」から離れたところに位置している）「拡張ユニット２１６」が、「PCI エクスプレス・ケーブル２１４」と「ブリッジカード２１２」とを経由して接続されているものの、引用発明１の「拡張ユニット２１６」は、「ベースＰＣユニット２００」の「PCIエクスプレス拡張スロット」である「スロット２１０」に「直接接続されるようにされ」ている「ＰＣＩ−Ｅ機能カード」ではない点。
　
＜相違点２＞
　本願の請求項１に係る発明では、「ＰＣＩ−Ｅ機能部」である「ＰＣＩ−Ｅ機能カード」が、「前記回路基板から見た場合、アーキテクチャとしての機能的に前記回路基板上に位置しているように見えて動作する」のに対し、引用発明１では、「ＰＣＩ−Ｅ機能部」である「拡張ユニット２１６」が、「ベースＰＣユニット２００」に用いられていることが技術的に明らかな「回路基板」に対し、「ブリッジカード２１２」及び「PCIエクスプレス・ケーブル２１４」とを経由して接続されているので、「ＰＣＩ−Ｅ機能部」である「拡張ユニット２１６」は、アーキテクチャ的には「ブリッジ」を介して接続されているといえ、「ベースＰＣユニット２００」に用いられていることが技術的に明らかな「回路基板」に対し、「前記回路基板から見た場合、アーキテクチャとしての機能的に前記回路基板上に位置しているように見えて動作する」ものとはいえない点。
　
　＜相違点３＞
　本願の請求項１に係る発明では、「ＰＣＩ−Ｅ機能部」である「ＰＣＩ−Ｅ機能カード」において、「複数の入出力デバイス」の「各々」が「複数のレーンのうちの１本を通じて接続され」ているのに対し、引用発明１では、「ＰＣＩ−Ｅ機能部」である「拡張ユニット２１６」が「x2 から x16 のレーンを含」み、「ＰＣの拡張」のための「I/O」機器が、その「PCIエクスプレス・サーバI/Oスロット２２２」又は「PCIエクスプレス・バックプレーン２３０に接続されたPCIエクスプレス拡張スロット２２６」に接続されるものの、「I/O」機器の「各々」が「PCIエクスプレス・サーバI/Oスロット２２２」又は「PCIエクスプレス・バックプレーン２３０に接続されたPCIエクスプレス拡張スロット２２６」と「x2 から x16 のレーン」のうちの１本を通じて接続されているか明らかでない点。
　
　そこで、以下、上記相違点について検討する。
＜相違点１＞について：
　原査定の拒絶の理由に引用された刊行物２〜１０の記載事項について検討すると、前記「１．刊行物の記載事項」「（刊行物２）」に摘記したとおり、刊行物２には、「マザーボード２００上のPCI エクスプレス x16 のスロット２１０」が開示されているに過ぎない。
　以下、同様に、刊行物３には、「ＰＯＳホスト端末と、該ＰＯＳホスト端末に接続された多数の周辺装置」との接続に「ネットワーク」接続、「直接インタフェース」接続、「バス・インタフェース」を用いることが開示されているに過ぎない。
　刊行物４には、「ブレード」が、「拡張スロット」に配置される「Ｉ／Ｏモジュール」と、中間板を介して、ＰＣＩエクスプレス・バスにより通信することが開示されているに過ぎない。
　刊行物５には、「情報処理システム10の周辺機器」が「情報処理システム10」と「ＰＣＩエキスプレス適合バックプレーンバス26」により通信することが開示されているに過ぎない。
　刊行物６には、「拡張カード１０４」が、「ＰＣＩエクスプレス（商標）」を使用する「ベースボード１０２」と接続されることが開示されているに過ぎない。
　刊行物７には、携帯型電子端末（携帯電話６０）とＰＯＳ端末１との通信にＢｌｕｅＴｏｏｔｈ等の無線通信を用いることが開示されているに過ぎない。
　刊行物８〜１０には、ＰＣＩバスに、コネクタやスロットを介して無線ＬＡＮカード等の無線通信用デバイスを接続することが開示されてるに過ぎない。
　
　よって、刊行物２〜１０には、相違点１に係る本願の請求項１に係る発明の発明特定事項である、「データ処理システム」の「回路基板」に「設置」された「専用接続ソケット」に、「前記回路基板と比較した場合、離れたところに位置していて」、「データ処理システムから離れたところにあるＰＣＩ　Ｅｘｐｒｅｓｓ（以下、ＰＣＩ−Ｅ）機能カード」が「直接接続されるようにされ」ている点について、開示も示唆もされていない。
　
　したがって、相違点１については、引用発明１及び刊行物２〜１０に記載された技術事項に基づいて、当業者が容易になし得たものとはいえない。
　
＜相違点２＞について：
　拡張カードをマザーボート上のPCI Expressスロットと接続する際、拡張カードの端子と該PCI Expressスロットの対応する端子とをフレキシブルケーブルにより直接接続することは、例えば市販の「フレキシブル・エクステンダ」（PCI EXPRESS Bus Extenders .... Bus Isolation, Regular, Tall, Right Angle and Wearout extenders....＜URL:https://web.archive.org/web/20041021012048/http://www.adexelec.com/pciexp.htm＞の「PE-FLEX1, PE-FLEX4, PE-FLEX8and PE-FLEX16 are flexible extenders for PCI Express X1, X4, X8 and X16 buses. 」参照。）に見られるように、周知の技術である。
　よって、引用発明１において、「ＰＣＩ−Ｅ機能部」である「拡張ユニット２１６」を、「ベースＰＣユニット２００」の「限定された数のPCIエクスプレス拡張スロット」の一つである「スロット２１０」に「PCIエクスプレス・ケーブル２１４」によって接続する際、両者を「ブリッジカード２１２」を経由させずに直接接続し、「ＰＣＩ−Ｅ機能部」である「拡張ユニット２１６」が「ベースＰＣユニット２００」に用いられていることの明らかな「回路基板」から見た場合、アーキテクチャとしての機能的に前記回路基板上に位置しているように見えて動作するようにして、上記相違点２に係る本願の請求項１に係る発明の構成とすることは、当業者が容易になし得たことである。
　
＜相違点３＞について
　ラップトップ・コンピュータのためのドッキング・ステーションにおいて、「Ｉ／Ｏ」を、複数のレーンのうちの１本を通じて接続することは、例えば、EXPRESS APPS、PLX TECHNOLOLY、Issue No.31、March 2006、ExApp31_Docking_Stations_Apps.doc（＜ＵＲＬ：http://www.plxtech.com/files/pdf/apps/ExApps31_Docking_Stations.pdf＞より入手）に、「An example of the PEX 8508 switch in a PCIe-based docking station application is shown below. In this example, the PEX 8508 connects to the docking connector (connector interface will vary from design to design) via a x4 upstream port. On the other end, the docking connector will connect to a x4 PCIe port on the laptop’s motherboard. The PEX 8508’s downstream ports will fan out to an Express Card, a PCIe slot, and another I/O via x1 lanes.」（第２頁第１８〜２４行）（当審訳：PCIe ベースのドッキング・ステーションの応用におけるPEX ８５０８スイッチの例が以下に示されます。この例で、 PEX ８５０８は 、x4 のアップストリーム・ポートを経由してドッキング・コネクター（コネクター・インタフェースは、設計ごとに変わるでしょう）に接続します。反対側では、ドッキング・コネクターは、ラップトップのマザーボードのx4 PCIe ポートに接続するでしょう。８５０８のダウンストリーム・ポートは、x1レーンを経由して、エクスプレスカード、PCIe のスロット、及びもう１つＩ／Ｏへと扇形に広がるでしょう。）とに記載されているとおり、周知技術である。
　そして、刊行物１第[0046]段落に「[0046]Referring now to  FIG. 3 , in accordance with another embodiment, a mobile computer  236  may serve as the base PC unit, and an expansion unit  232  includes a docking connector  238  connected via PCI Express.」（第４頁左欄第４５〜４８行）（当審訳：今、図３を参照すると、もう１つの実施例に従って、モバイルコンピュータ２３６がベースＰＣユニットとして働き、そして拡大ユニット２３２は、PCI エクスプレスを経由して接続されるドッキング・コネクター２３８含みます。）と記載されていることからみて、ラップトップ・コンピュータのための周知のドッキング・ステーションは、コンピュータの機能を拡張するための機器である点で引用発明１の「拡張ユニット２１６」と同じ技術分野に属するといえる。
　よって、引用発明１において、上記周知技術を適用し、引用発明１の「x2 から x16 のレーンを含」む、「ＰＣＩ−Ｅ機能部」である「拡張ユニット２１６」において、その「PCIエクスプレス・サーバI/Oスロット２２２」又は「PCIエクスプレス・バックプレーン230に接続されたPCIエクスプレス拡張スロット226」に接続される「I/O」機器の「各々」が、「ＰＣＩ−Ｅ機能部」である「拡張ユニット２１６」に含まれる該「x2 から x16 のレーン」のうちの１本を通じて接続されるようにして、相違点３に係る本願の請求項１に係る発明の構成とすることは、当業者が容易になし得たことである。
　
　以上のとおり、引用発明１にも、刊行物２〜１０にも、本願の請求項１に係る発明の発明特定事項である、「データ処理システム」の「回路基板」に「設置」された「専用接続ソケット」に、「前記回路基板と比較した場合、離れたところに位置していて」、「データ処理システムから離れたところにあるＰＣＩ　Ｅｘｐｒｅｓｓ（以下、ＰＣＩ−Ｅ）機能カード」が「直接接続されるようにされ」ている点が開示も示唆もされていないから、本願の請求項１に係る発明は、引用発明１及び刊行物２〜１０に記載された技術事項に基づいて、当業者が容易に発明をすることができたとはいえない。
　
（請求項２〜７に係る発明について）
　本願の請求項２〜７に係る発明は、本願の請求項１に係る発明の発明特定事項に、さらなる発明特定事項を追加して限定したものであるから、上記（請求項１に係る発明について）にて述べたのと同様の理由により、引用発明１及び刊行物２〜１０に記載された技術事項に基いて、当業者が容易に発明をすることができたとはいえない。
　
（請求項８に係る発明について）
  本願の請求項８に係る発明は、「データ処理システム」に係る本願の請求項１に係る発明を、「入出力デバイス」からの「入力」の観点から「方法」として表現したものである。
　そして、本願の請求項８に係る発明についても、上記（請求項１に係る発明について）にて述べたのと同様の理由により、引用発明１及び刊行物２〜１０に記載された技術事項に基いて、当業者が容易に発明をすることができたとはいえない。
　
第５　むすび
　以上のとおり、本願の請求項１〜８に係る発明は、引用発明１及び刊行物２〜１０に記載された技術事項に基いて、当業者が容易に発明をすることができたものとすることができないから、原査定の理由によっては、本願を拒絶することはできない。
　また、他に本願を拒絶すべき理由を発見しない。
　よって、結論のとおり審決する。